【手続補正書】
【提出日】平成29年6月30日(2017.6.30)
【手続補正１】
【補正対象書類名】特許請求の範囲
【補正対象項目名】全文
【補正方法】変更
【補正の内容】
【特許請求の範囲】
【請求項１】
黄色サーモクロミックインキであって、該黄色サーモクロミックインキは、
以下の式を有する黄色サーモクロミック染料：
【化１】
2016527345.tif 000001
であって、
ここでＸ１およびＸ２は、独立して、水素、ハロゲン、アルキル、アリール、アルキルエーテル、アリールエーテル、モノ−アルキルアミン、ビス−アルキルアミン、アリールアミン、アルキルチオ、およびアリールチオから選択され；
Ｙは、独立して、炭素もしくは窒素から選択され；
Ｚは、独立して、水素、ハロゲン、およびアルキルから選択され；
Ｒは、独立して、アルキルおよびアリールから選択され；
Ｒ１およびＲ２は、独立して、水素、アルキル、およびアリールから選択される
黄色サーモクロミック染料、ならびに
アルキルである少なくとも２つの環置換基を有するカテコールを含む顕色剤
を含み、該黄色サーモクロミック染料および該顕色剤は、マイクロカプセル内にカプセル化されている、黄色サーモクロミックインキ。
【請求項２】
前記顕色剤は、Ｃ１−Ｃ１０アルキルである少なくとも２つの環置換基を有するカテコールを含む、請求項１に記載の黄色サーモクロミックインキ。
【請求項３】
前記顕色剤は、３，５−ジ−ｔｅｒｔ−ブチルカテコールである、請求項１に記載の黄色サーモクロミックインキ。
【請求項４】
前記黄色サーモクロミック染料は、表８に列挙される染料の群から選択される、請求項１に記載の黄色サーモクロミックインキ。
【請求項５】
前記マイクロカプセルは、脂肪性有機溶媒をさらにカプセル化する、請求項１に記載の黄色サーモクロミックインキ。
【請求項６】
前記脂肪性有機溶媒は、脂肪エステル、脂肪アルコール、または脂肪アミドを含む、請求項５に記載の黄色サーモクロミックインキ。
【請求項７】
前記マイクロカプセルは、約３ミクロン未満の平均直径を有する、請求項１に記載の黄色サーモクロミックインキ。
【請求項８】
前記マイクロカプセルは、約１．５ミクロン未満の平均直径を有する、請求項１に記載の黄色サーモクロミックインキ。
【請求項９】
前記黄色サーモクロミック染料は、３０分を超える間、紫外線に安定である、請求項１に記載の黄色サーモクロミックインキ。
【請求項１０】
前記黄色サーモクロミック染料は、１７５時間を超える間、蛍光に安定である、請求項１に記載の黄色サーモクロミックインキ。
【請求項１１】
前記黄色サーモクロミック染料は、３０分を超える間、紫外線に安定であり、かつ
前記黄色サーモクロミック染料は、１７５時間を超える間、蛍光に安定である、
請求項１に記載の黄色サーモクロミックインキ。
【請求項１２】
前記黄色サーモクロミックインキは、別の着色料と組み合わせられる、請求項１に記載の黄色サーモクロミックインキ。
【請求項１３】
黄色サーモクロミックインキであって、該黄色サーモクロミックインキは、
以下の式を有する黄色サーモクロミック染料：
【化２】
2016527345.tif 000002
であって、
ここでＸ１およびＸ２は、独立して、水素、ハロゲン、アルキル、アリール、アルキルエーテル、アリールエーテル、モノ−アルキルアミン、ビス−アルキルアミン、アリールアミン、アルキルチオ、およびアリールチオから選択され；
Ｙは、独立して、炭素もしくは窒素から選択され；
Ｚは、独立して、水素、ハロゲン、およびアルキルから選択され；
Ｒは、独立して、アルキルおよびアリールから選択され；
Ｒ１およびＲ２は、独立して、水素、アルキル、およびアリールから選択される
黄色サーモクロミック染料、ならびに
４，４’−（２−エチルヘキシリデン）ジフェノールを含む顕色剤
を含み、該黄色サーモクロミック染料および該顕色剤は、マイクロカプセル内にカプセル化されている、黄色サーモクロミックインキ。
【請求項１４】
黄色サーモクロミックインキであって、該黄色サーモクロミックインキは、
以下の式を有する黄色サーモクロミック染料：
【化３】
2016527345.tif 000003
であって、
ここでＸ１およびＸ２は、独立して、水素、ハロゲン、アルキル、アリール、アルキルエーテル、アリールエーテル、モノ−アルキルアミン、ビス−アルキルアミン、アリールアミン、アルキルチオ、およびアリールチオから選択され；
Ｙは、独立して、炭素もしくは窒素から選択され；
Ｚは、独立して、水素、ハロゲン、およびアルキルから選択され；
Ｒは、独立して、アルキルおよびアリールから選択され；
Ｒ１およびＲ２は、独立して、水素、アルキル、およびアリールから選択される
黄色サーモクロミック染料、ならびに
酸性のモノフェノールを含む顕色剤
を含み、該黄色サーモクロミック染料および該顕色剤は、マイクロカプセル内にカプセル化されている、黄色サーモクロミックインキ。
【手続補正２】
【補正対象書類名】明細書
【補正対象項目名】００４３
【補正方法】変更
【補正の内容】
【００４３】
ここでＸ１およびＸ２は、独立して、水素、ハロゲン、置換されたかもしくは置換されていないアルキル基、アリール基、置換されたもしくは置換されていないアルキルエーテルもしくはアリールエーテル、およびモノもしくはビス−アルキルアミンもしくはアリールアミン、置換されたアルキルチオ基もしくはアリールチオ基であり得る。
Ｙは、炭素もしくは窒素であり得る。
Ｚは、水素、ハロゲン、もしくは他の単純なアルキル置換基であり得る。
Ｒ、Ｒ１およびＲ２は、同じであっても異なっていてもよく、それらは、水素、置換されたかもしくは置換されていないアルキル基もしくはアリール基から独立して選択され得、上記アルキル基は一緒になって、別個の環構造、もしくはフルオラン骨格を有する縮合環構造を形成し得る。
本発明は、例えば、以下の項目を提供する。
（項目１）
サーモクロミック黄色インキ組成物であって、脂肪性有機溶媒、顕色剤および以下の式によって表される黄色ロイコ染料：
【化９】
2016527345.tif 000004
を含むマイクロカプセルを含み、
ここでＸ１およびＸ２は、独立して、水素、ハロゲン、置換されたかもしくは置換されていないアルキル基、アリール基、置換されたかもしくは置換されていないアルキルエーテルもしくはアリールエーテル、およびモノもしくはビス−アルキルアミンまたはアリールアミン、置換されたアルキルチオ基もしくはアリールチオ基であり得；
Ｙは、炭素もしくは窒素であり得；
Ｚは、水素、ハロゲン、もしくは他の単純なアルキル置換基であり得；
Ｒ、Ｒ１およびＲ２は、同じであっても異なっていてもよく、それらは、水素、置換されたかもしくは置換されていないアルキル基もしくはアリール基から独立して選択され得、該アルキル基は結合されて、別個の環構造、もしくはフルオラン骨格を有する縮合環構造を形成し得る、
サーモクロミック黄色インキ組成物。
（項目２）
前記顕色剤は、以下の式：
【化１０】
2016527345.tif 000005
によって表され、
ここでＲ１、Ｒ２、Ｒ３、およびＲ４は、同じであっても異なっていてもよく、Ｈ、１〜１０個の炭素を有するアルキル基から選択され得、前記ロイコ染料は、Ｘ＝Ｈを有する、項目１に記載のサーモクロミック黄色インキ組成物。
（項目３）
−５〜７５℃の間での意図された使用環境において、前記マイクロカプセル内に保持された物体の温度を感知することによってレベルインジケーターとして作用し得る色彩移行温度を有する、項目１に記載の黄色サーモクロミックインキ組成物。
（項目４）
多くの他の色のサーモクロミックインキと混合されて、二次色および／もしくは三次色を生じ得る、項目１に記載の黄色サーモクロミックインキ組成物。
（項目５）
−５〜７５℃の間での意図された使用環境において、前記マイクロカプセル内に保持された物体の温度を感知することによって、レベルインジケーターとして作用し得る色彩移行温度を有する、項目４に記載の二次色および／もしくは三次色のサーモクロミックインキ。
（項目６）
ある色彩から別の色彩へと変化するレベルインジケーターとして作用し得る多くの他の色の従来のインキと混合され得る、項目１に記載の黄色サーモクロミックインキ組成物。
（項目７）
前記マイクロカプセルは、１．５ミクロン未満の平均粒径を有する、項目１に記載のサーモクロミック黄色インキ組成物。